(57)【要約】【課題】通常の引戸と同様の操作で扉の開放を行うことができ、使用者に折戸部分が接触することのない引戸装置を提供すること。【解決手段】出入口に配置される引戸扉３と、引戸枠部材２とからなり、前記引戸扉３を複数に分割した引戸装置において、引戸扉３を、引戸扉の進行方向と平行にのみ移動する戸先扉３１と、戸尻側縦枠２ａに揺動可能に枢設した戸尻扉３４と、前記戸先扉３１と戸尻扉３４との間に揺動可能に連結した戸先側中間扉３２及び戸尻側中間扉３３とで構成し、前記戸尻側中間扉３３の横幅を、戸先側中間扉３２と戸尻扉３４との横幅の和とほぼ等しくする。【選択図】図１
2008038531.tif 000002
【特許請求の範囲】
【請求項１】
出入口に配置される引戸扉と、引戸枠部材とからなり、前記引戸扉を複数に分割した引戸装置において、引戸扉を、引戸扉の進行方向と平行にのみ移動する戸先扉と、戸尻側縦枠に揺動可能に枢設した戸尻扉と、前記戸先扉と戸尻扉との間に揺動可能に連結した戸先側中間扉及び戸尻側中間扉とで構成し、前記戸尻側中間扉の横幅を、戸先側中間扉と戸尻扉との横幅の和とほぼ等しくしたことを特徴とする引戸装置。
【請求項２】
戸尻側中間扉の上面には、上枠内部に配設した走行用レールに載置する戸車を備えた揺動ブラケットを配設したことを特徴とする請求項１記載の引戸装置。
【請求項３】
戸先側中間扉の戸先側の揺動中心と同心軸上を揺動中心として、上枠内部に配設した走行用レールに載置する戸車を備えた揺動ブラケットを配設したことを特徴とする請求項１又は２記載の引戸装置。
【発明の詳細な説明】
【技術分野】
【０００１】
本発明は、引戸装置に関し、特に、複数の折戸が屈曲して出入口部分を開閉し、戸袋部分が不要となる引戸装置の改良に関するものである。
【背景技術】
【０００２】
従来の折戸式の引戸装置６０を図５〜図６に示す。この引戸装置６０は、室内と室外とを連通する開口部分に配設するもので、縦枠６４に蝶板等からなる揺動機構６５を介して揺動自在に取り付けられた戸尻扉６１と、該戸尻扉６１の揺動機構６５と連結されていない他端とを扇形ギア９、９同士を噛合し、該扇形ギア９の軸芯同士をリンク９ａによって取り付け、折れ曲がるように連結した中間扉６２と、該中間扉６２と扇形ギア９、９同士を噛合させて連結した戸先扉６３とからなる。戸先扉６３は、扇形ギア９よって折れることなく、上枠に配設された走行用レール（図示省略）に載置した戸車によって平行に移動する。
そして、引戸の開閉においては図５に示すように戸先扉６３の把手６３ａを戸尻側（矢符Ｘ方向）に移行しつつ中間扉６２に配設する補助用の把手６２ａによって戸尻扉６１と中間扉６２とが屈曲するように補助力（矢符Ｙ方向）を与えながら引戸の開閉を行うようにしている（例えば、特許文献１参照）。
【０００３】
しかし、この場合、扉の開閉軌跡は、図６に示す一点破線のようになり、使用者側の開閉位置によっては、折戸の部分となる戸尻扉６１と中間扉６２とが使用者側にせり出し、体が開口部中心よりも戸尻側にあるときは、扉と接触する危険があり、また車椅子使用の場合には扉の開放がしづらいといった問題があった。
【特許文献１】特開２００４−１２４６２６号公報
【発明の開示】
【発明が解決しようとする課題】
【０００４】
本発明は、上記従来の引戸装置の有する問題点に鑑み、使用者に折戸部分が接触しにくい引戸装置を提供することを目的とする。
【課題を解決するための手段】
【０００５】
上記目的を達成するため、本発明の引戸装置は、出入口に配置される引戸扉と、引戸枠部材とからなり、前記引戸扉を複数に分割した引戸装置において、引戸扉を、引戸扉の進行方向と平行にのみ移動する戸先扉と、戸尻側縦枠に揺動可能に枢設した戸尻扉と、前記戸先扉と戸尻扉との間に揺動可能に連結した戸先側中間扉及び戸尻側中間扉とで構成し、前記戸尻側中間扉の横幅を、戸先側中間扉と戸尻扉との横幅の和とほぼ等しくしたことを特徴とする。
【０００６】
この場合において、戸尻側中間扉の上面には、上枠内部に配設した走行用レールに載置する戸車を備えた揺動ブラケットを配設することができる。
【０００７】
また、戸先側中間扉の戸先側の揺動中心と同心軸上を揺動中心として、上枠内部に配設した走行用レールに載置する戸車を備えた揺動ブラケットを配設することができる。
【発明の効果】
【０００８】
本発明の引戸装置によれば、引戸扉を、引戸扉の進行方向と平行にのみ移動する戸先扉と、戸尻側縦枠に揺動可能に枢設した戸尻扉と、前記戸先扉と戸尻扉との間に揺動可能に連結した戸先側中間扉及び戸尻側中間扉とで構成し、前記戸尻側中間扉の横幅を、戸先側中間扉と戸尻扉との横幅の和とほぼ等しくしたから、折戸部分の開閉軌跡となるせり出しが居室側と廊下側とにあらわれ、従来の３分割の折戸式引戸装置に比べて折戸の居室側又は廊下側へのせり出し量を低減することのできる引戸装置を提供することができる。
【０００９】
また、戸尻側中間扉の上面に、上枠内部に配設した走行用レールに載置する戸車を備えた揺動ブラケットを配設するとき、つまり戸尻側中間扉の戸先側から戸先側中間扉の距離だけ離れた位置に揺動ブラケットを配設した場合、戸尻側中間扉は揺動ブラケットの揺動軸を中心に走行レール上を走行しながらスムーズに揺動することができる。
【００１０】
また、戸先側中間扉の戸先側の揺動中心と同心軸上を揺動中心として、上枠内部に配設した走行用レールに載置する戸車を備えた揺動ブラケットを配設するときは、戸先側中間扉も戸先扉と戸尻側中間扉と連結されるだけでなくその自重をレールにかけることができるから、引戸扉の開閉がスムーズに行えるとともに、高い強度を保つことのできる引戸装置を提供することができる。
【発明を実施するための最良の形態】
【００１１】
以下、本発明の引戸装置の実施の形態を、図面に基づいて説明する。なお、従来装置と同様の構造については同一の符号、一連の符号を付し説明を省略する。
【実施例１】
【００１２】
図１〜図４に、本発明の引戸装置の一実施例を示す。
この引戸装置１は、引戸枠部材２と、居室に出入りする開口部を開閉する引戸扉３とより構成され、引戸扉３は、戸先扉３１、戸先側中間扉３２、戸尻側中間扉３３及び戸尻扉３４とに分割して構成する。
引戸扉３の開閉の仕組みは特に限定されるものではないが、図例の如く、引戸扉３の戸先扉３１上面に備えたブラケット３１ａに回動自在に取り付けた戸車を走行用レール７に載置し、走行用レール７を水平に設け、開閉を人手のみにゆだねるもののほか、引戸枠部材２下方の床面に敷設したレール上に引戸扉３を載置して引戸扉３を開閉する構成であっても構わない。
以下、本実施例の引戸装置１においては、直線運動のみの戸先扉３１の上面にＬ字状のブラケット３１ａを取り付け、該ブラケット３１ａに配設した固定の戸車を走行用レール７に載置する例で説明する。
【００１３】
本発明の引戸装置１に使用される引戸扉３は、引戸扉３の進行方向と平行にのみ移動する戸先扉３１と、戸尻側縦枠２ａに揺動可能に枢設した戸尻扉３４と、前記戸先扉３１と戸尻扉３４との間に揺動可能に連結した戸先側中間扉３２と戸尻側中間扉３３とより構成するようにしている。
そして、戸尻側中間扉３３の横幅を、戸先側中間扉３２と戸尻扉３４との横幅の和とほぼ等しくなるようにしている。
戸先扉３１と戸尻扉３４との取り付け方法は特に限定するものではないが、戸先扉３１は、引戸扉３の進行方向と平行（直線運動）にのみ移動するように配設し、戸尻扉３４は、戸尻側縦枠２ａの上部と下部から延設したブラケット８の揺動軸を介して揺動自在に配設する。
【００１４】
戸尻側中間扉３３は、その上面に上枠内部に配設した走行用レール７に載置する戸車を備えた揺動ブラケット６を配設することができる。この揺動ブラケット６の配設位置は、図４（ａ）に示すように、戸先側から戸先側中間扉３２の横幅Ｌ１に等しくなり、戸尻側から戸尻扉３４の横幅Ｌ２に等しくなる位置とし、引戸扉３が折れ曲がる際の支点としての役割を果たし、引戸扉３全体を安定して走行させることができる。
【００１５】
また、戸先側中間扉３２の戸先側の揺動中心と同心軸上を揺動中心として、揺動ブラケット６を配設することが好ましい。
【００１６】
戸先側中間扉３２と戸尻側中間扉３３、戸先扉３１と戸先側中間扉３２、戸尻扉３４と戸尻側中間扉３３とはそれぞれ揺動機構５を介して連結するようにしている。
この揺動機構５は、リンク５１の両端を、オイレスブッシュやベアリングなどを使用した揺動軸５２を介して取り付け、戸先側中間扉３２、戸尻側中間扉３３、戸尻扉３４をそれぞれ揺動可能に連結するもので、従来例と同様、扇形ギア９、９同士を噛合させリンク９ａを用いた揺動機構を介して揺動可能に連結することもできる。
【００１７】
そして、引戸扉３の開放時に、揺動するそれぞれの扉が図４（ｂ）の方向にスムーズに折れ曲がるように付勢手段Ｍを配設することが好ましい。この付勢手段は図４（ａ）に示すように戸先側中間扉３２の戸尻側、戸尻側中間扉３３の戸尻側、戸尻扉３４の戸尻側等その配設位置は特に限定するものではなく、それぞれの折戸の折れ方向に軽く付勢する付勢力を与えるものであればその配設箇所の数も図例のように３箇所であってもいずれか１箇所であっても構わない。
【００１８】
また、特に付勢手段を設けることなく、図３（ｃ）に示すように戸先扉３１と戸先側中間扉３２を連結する揺動機構５のいずれか一方の揺動軸５２（図例では戸先側中間扉３２側の例を示す）を他方の揺動軸５２の軸芯からＬだけずらせて配設することで引戸扉３の開放時に、揺動するそれぞれの扉が図４（ｂ）の方向にスムーズに折れ曲がるようにすることができる。
つまり、一方の揺動軸５２をずらせることによって引戸扉３の開放力Ｐに対して分力Ｐｙが発生し、Ｐｙによって戸先扉３１はＱ方向への力を受ける。このとき、戸先扉３１は上面にＬ字状のブラケット３１ａを取り付け、該ブラケット３１ａに配設した固定の戸車を走行用レール７に載置し直線にしか移動しないためＱは働かないものの、戸先側中間扉３２の揺動軸５２に働く反力Ｐ’の分力Ｐｙ’によって生じるＱ’方向への力によって戸先側中間扉３２は図４（ｂ）に示す方向に折れ曲がり、戸先側中間扉３２と戸尻側中間扉３３、戸尻側中間扉３３と戸尻扉３４も揺動機構５によって図４（ｂ）の方向にスムーズに折れ曲がるものである。
【００１９】
また、引戸扉３の各扉間には、室内の明かり漏れと冷暖房の効率低下を防止するためにパッキンＰａを配設することが好ましい。このパッキンＰａは戸先側中間扉３２、戸尻側中間扉３３、戸尻扉３４の戸先側、又は、戸先扉３１、戸先側中間扉３２、戸尻側中間扉３３の戸尻側側面の全長に亘って配設するもので、その材質は特に限定するものではなく、ゴム等の軟性部材を用いることが好ましい。
【００２０】
しかして、引戸扉３の閉鎖位置（図４（ａ）参照）から引戸扉３の開放に際しては、戸先扉３１の把手（図示省略）などを持って図例右側に力を加え、上述した付勢手段Ｍ又は揺動軸５２をずらすことによって戸先側中間扉３２、戸尻側中間扉３３、戸尻扉３４がそれぞれ図４（ｂ）に示す方向に折れ曲がり、戸先扉３１は走行用レール７の中心線７ａに沿って移行し、図４（ｃ）の位置で停止する。
【００２１】
以上、本発明の引戸装置について、実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の引戸装置は、引戸扉を４枚に分割し、せり出す軌跡を小さくすることができるという特性を有していることから、折戸特有の走行軌跡をとることなく、引戸扉を開放する使用者と引戸扉との干渉を小さくすることができるから、車椅子で利用する使用者の多い病院や老健施設の引戸装置としての用途に好適に適用することができる。
【図面の簡単な説明】
【００２３】
【図１】本発明の引戸装置の一実施例を示す一部切り欠きの正面図である。
【図２】本発明の引戸装置の一実施例を示す戸先扉と戸先側中間扉の上部の一部断面の拡大図である。
【図３】図２のＸ−Ｘ断面図を示し、（ａ）は引戸扉閉鎖時の一部切り欠きの平面図を、（ｂ）は開放初期の一部切り欠き正面図を、（ｃ）は揺動軸をずらして配設し、扉の折れ曲がり要領を説明する拡大図である。
【図４】本発明の引戸装置の一実施例を示す開放要領を示す概略説明図で、（ａ）は閉鎖状態を、（ｂ）は引戸扉開放初期状態を、（ｃ）は引戸扉の全開状態を示す。
【図５】従来の折戸式引戸装置を示し、（ａ）は一部切り欠きの平面図を、（ｂ）は（ａ）のＺ部拡大図である。正面図である。
【図６】従来の折戸式引戸装置の開放要領を示す概略説明図である。
【符号の説明】
【００２４】
１    引戸装置
２    引戸枠部材
２ａ  戸尻側縦枠
３    引戸扉
３１  戸先扉
３２  戸先側中間扉
３３  戸尻側中間扉
３３  戸尻扉
５    揺動機構
６    揺動ブラケット
【図１】
2008038531.tif 000003
【図２】
2008038531.tif 000004
【図３】
2008038531.tif 000005
【図４】
2008038531.tif 000006
【図５】
2008038531.tif 000007
【図６】
2008038531.tif 000008